(57)【要約】【課題】無線基地局に接続されているリレーノード配下のセルから別の無線基地局配下のセルに対する移動局のハンドオーバを可能とする。【解決手段】本発明に係る移動通信システムは、リレーノードＲＮ＃１と無線基地局ＤｅＮＢ＃１との間で、Ｓ１インターフェイス用プロトコルが終端しており、無線基地局ＤｅＮＢ＃１と無線基地局ｅＮＢとの間で、Ｘ２インターフェイス用プロトコルが終端しており、無線基地局ＤｅＮＢ＃１は、Ｓ１インターフェイス用プロトコルに従って生成されたハンドオーバ手順用の第１制御信号（例えば、「（Ｓ１）ＨＯ  Ｒｅｑｕｉｒｅｄ」）をリレーノードＲＮ＃１から受信し、Ｘ２インターフェイス用プロトコルに従ってハンドオーバ手順用の第２制御信号（例えば、「（Ｘ２）ＨＯ  Ｒｅｑｕｅｓｔ」）を生成して交換局ＭＭＥに送信することなく無線基地局ｅＮＢに送信するように構成されている。【選択図】図４
2011120181.tif 000002
【特許請求の範囲】
【請求項１】
第１無線基地局と、該第１無線基地局に接続されているリレーノード及び第２無線基地局とを具備しており、移動局の該リレーノード配下のセルから該第２無線基地局配下のセルへのハンドオーバ手順を行うように構成されている移動通信システムであって、
前記リレーノードと前記第１無線基地局との間で、第１プロトコルが終端しており、かつ、該第１無線基地局と前記第２無線基地局との間で、第２プロトコルが終端しており、
前記第１無線基地局は、前記第１プロトコルに従って生成された前記ハンドオーバ手順用の第１制御信号を前記リレーノードから受信し、前記第２プロトコルに従って前記ハンドオーバ手順用の第２制御信号を生成して交換局に送信することなく前記第２無線基地局に送信するように構成されていることを特徴とする移動通信システム。
【請求項２】
前記第１無線基地局は、前記移動局の位置登録処理において、前記第２制御信号を生成するための情報を取得するように構成されていることを特徴とする請求項１に記載の移動通信システム。
【請求項３】
第１無線基地局と、該第１無線基地局に接続されているリレーノード及び第２無線基地局とを具備しており、移動局の該第２無線基地局配下のセルから該リレーノード配下のセルへのハンドオーバ手順を行うように構成されている移動通信システムであって、
前記リレーノードと前記第１無線基地局との間で、第１プロトコルが終端しており、かつ、前記第１無線基地局と前記第２無線基地局との間で、第２プロトコルが終端しており、
前記第１無線基地局は、前記第２プロトコルに従って生成された前記ハンドオーバ手順用の第２制御信号を前記第２無線基地局から受信し、前記第１プロトコルに従って前記ハンドオーバ手順用の第１制御信号を生成して交換局に送信することなく前記リレーノードに送信するように構成されていることを特徴とする移動通信システム。
【請求項４】
前記第１無線基地局は、前記移動局の位置登録処理において、前記第１制御信号を生成するための情報を取得するように構成されていることを特徴とする請求項３に記載の移動通信システム。
【請求項５】
前記第１プロトコルは、Ｓ１インターフェイス用プロトコルであり、前記第２インターフェイスは、Ｘ２インターフェイス用プロトコルであることを特徴とする請求項１乃至４のいずれか一項に記載の移動通信システム。
【請求項６】
第１無線基地局と、該第１無線基地局に接続されている第１リレーノードと、第２無線基地局と、該第２無線基地局に接続されている第２リレーノードとを具備しており、移動局の該第１リレーノード配下のセルから該第２リレーノード配下のセルへのハンドオーバ手順を行うように構成されている移動通信システムであって、
前記第１リレーノードと前記第１無線基地局との間で、第１プロトコルが終端しており、該第１無線基地局と前記第２無線基地局との間で、第２プロトコルが終端しており、前記第２無線基地局と前記第２リレーノードとの間で、第３プロトコルが終端しており、
前記第１無線基地局は、前記第１プロトコルに従って生成された前記ハンドオーバ手順用の第１制御信号を前記第１リレーノードから受信し、前記第２プロトコルに従って前記ハンドオーバ手順用の第２制御信号を生成して交換局に送信することなく前記第２無線基地局に送信するように構成されており、
前記第２無線基地局は、前記第２制御信号を前記第１無線基地局から受信し、前記第３プロトコルに従って前記ハンドオーバ手順用の第３制御信号を生成して前記交換局に送信することなく前記第２リレーノードに送信するように構成されていることを特徴とする移動通信システム。
【請求項７】
前記第１無線基地局は、前記移動局の位置登録処理において、前記第２制御信号を生成するための情報を取得するように構成されており、
前記第２無線基地局は、前記移動局の位置登録処理において、前記第３制御信号を生成するための情報を取得するように構成されていることを特徴とする請求項６に記載の移動通信システム。
【請求項８】
前記第１プロトコル及び前記第３プロトコルは、Ｓ１インターフェイス用プロトコルであり、前記第２インターフェイスは、Ｘ２インターフェイス用プロトコルであることを特徴とする請求項６又は７に記載の移動通信システム。
【請求項９】
リレーノード及び他の無線基地局に接続されており、移動局の該リレーノード配下のセルから該他の無線基地局配下のセルへのハンドオーバ手順を行うように構成されている移動通信システムで用いられる無線基地局であって、
前記リレーノードとの間で、第１プロトコルを終端し、かつ、前記第２無線基地局との間で、第２プロトコルを終端するように構成されており、
前記第１プロトコルに従って生成された前記ハンドオーバ手順用の第１制御信号を前記リレーノードから受信し、前記第２プロトコルに従って前記ハンドオーバ手順用の第２制御信号を生成して交換局に送信することなく前記他の無線基地局に送信するように構成されていることを特徴とする無線基地局。
【請求項１０】
前記移動局の位置登録処理において、前記第２制御信号を生成するための情報を取得するように構成されていることを特徴とする請求項９に記載の無線基地局。
【請求項１１】
リレーノード及び他の無線基地局に接続されており、移動局の該他の無線基地局配下のセルから該リレーノード配下のセルへのハンドオーバ手順を行うように構成されている移動通信システムで用いられる無線基地局であって、
前記リレーノードとの間で、第１プロトコルを終端し、かつ、前記第２無線基地局との間で、第２プロトコルを終端するように構成されており、
前記第２プロトコルに従って生成された前記ハンドオーバ手順用の第２制御信号を前記他の無線基地局から受信し、前記第１プロトコルに従って前記ハンドオーバ手順用の第１制御信号を生成して交換局に送信することなく前記リレーノードに送信するように構成されていることを特徴とする無線基地局。
【請求項１２】
前記移動局の位置登録処理において、前記第１制御信号を生成するための情報を取得するように構成されていることを特徴とする請求項１１に記載の無線基地局。
【請求項１３】
前記第１プロトコルは、Ｓ１インターフェイス用プロトコルであり、前記第２インターフェイスは、Ｘ２インターフェイス用プロトコルであることを特徴とする請求項９乃至１２のいずれか一項に記載の無線基地局。
【発明の詳細な説明】
【技術分野】
【０００１】
本発明は、移動通信システム及び無線基地局に関する。
【背景技術】
【０００２】
ＬＴＥ（Ｌｏｎｇ  Ｔｅｒｍ  Ｅｖｏｌｕｔｉｏｎ）方式の後継であるＬＴＥ-Ａｄｖａｎｃｅｄ方式の移動通信システムは、無線基地局ＤｅＮＢ（Ｄｏｎｅｒ-ｅＮＢ）と移動局ＵＥとの間に、リレーノードＲＮ（Ｒｅｌａｙ  Ｎｏｄｅ）を設けることができるように構成されている。
【先行技術文献】
【非特許文献】
【０００３】
【非特許文献１】３ＧＰＰ  ＴＲ３６.８０６（Ｖ０.１.１）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ-ＵＴＲＡ）；Ｒｅｌａｙ  ａｒｃｈｉｔｅｓｃｕｒｅｓ  ｆｏｒ  Ｅ−ＵＴＲＡ（ＬＴＥ-Ａｄｖａｎｃｅｄ）（Ｒｅｌｅａｓｅ.９）」、２００９年１１月
【発明の概要】
【発明が解決しようとする課題】
【０００４】
しかしながら、かかる移動通信システムにおいて、無線基地局ＤｅＮＢに接続されているリレーノードＲＮ配下のセルから別の無線基地局ｅＮＢ配下のセルに対する移動局ＵＥのハンドオーバ手順を、どのように実現すべきかについて具体的に規定されていないという問題点があった。
【０００５】
また、かかる移動通信システムにおいて、無線基地局ＤｅＮＢに接続されているリレーノードＲＮ配下のセルから別の無線基地局ＤｅＮＢに接続されている別のリレーノードＲＮ配下のセルに対する移動局ＵＥのハンドオーバ手順を、どのように実現すべきかについて具体的に規定されていないという問題点があった。
【０００６】
そこで、本発明は、上述の課題に鑑みてなされたものであり、無線基地局に接続されているリレーノード配下のセルから別の無線基地局配下のセルに対する移動局のハンドオーバ、及び、無線基地局に接続されているリレーノード配下のセルから別の無線基地局に接続されている別のリレーノード配下のセルに対する移動局のハンドオーバを可能とする移動通信システム及び無線基地局を提供することを目的とする。
【課題を解決するための手段】
【０００７】
本発明の第１の特徴は、第１無線基地局と、該第１無線基地局に接続されているリレーノード及び第２無線基地局とを具備しており、移動局の該リレーノード配下のセルから該第２無線基地局配下のセルへのハンドオーバ手順を行うように構成されている移動通信システムであって、前記リレーノードと前記第１無線基地局との間で、第１プロトコルが終端しており、かつ、該第１無線基地局と前記第２無線基地局との間で、第２プロトコルが終端しており、前記第１無線基地局は、前記第１プロトコルに従って生成された前記ハンドオーバ手順用の第１制御信号を前記リレーノードから受信し、前記第２プロトコルに従って前記ハンドオーバ手順用の第２制御信号を生成して交換局に送信することなく前記第２無線基地局に送信するように構成されていることを要旨とする。
【０００８】
本発明の第２の特徴は、第１無線基地局と、該第１無線基地局に接続されているリレーノード及び第２無線基地局とを具備しており、移動局の該第２無線基地局配下のセルから該リレーノード配下のセルへのハンドオーバ手順を行うように構成されている移動通信システムであって、前記リレーノードと前記第１無線基地局との間で、第１プロトコルが終端しており、かつ、前記第１無線基地局と前記第２無線基地局との間で、第２プロトコルが終端しており、前記第１無線基地局は、前記第２プロトコルに従って生成された前記ハンドオーバ手順用の第２制御信号を前記第２無線基地局から受信し、前記第１プロトコルに従って前記ハンドオーバ手順用の第１制御信号を生成して交換局に送信することなく前記リレーノードに送信するように構成されていることを要旨とする。
【０００９】
本発明の第３の特徴は、第１無線基地局と、該第１無線基地局に接続されている第１リレーノードと、第２無線基地局と、該第２無線基地局に接続されている第２リレーノードとを具備しており、移動局の該第１リレーノード配下のセルから該第２リレーノード配下のセルへのハンドオーバ手順を行うように構成されている移動通信システムであって、前記第１リレーノードと前記第１無線基地局との間で、第１プロトコルが終端しており、該第１無線基地局と前記第２無線基地局との間で、第２プロトコルが終端しており、前記第２無線基地局と前記第２リレーノードとの間で、第３プロトコルが終端しており、前記第１無線基地局は、前記第１プロトコルに従って生成された前記ハンドオーバ手順用の第１制御信号を前記第１リレーノードから受信し、前記第２プロトコルに従って前記ハンドオーバ手順用の第２制御信号を生成して交換局に送信することなく前記第２無線基地局に送信するように構成されており、前記第２無線基地局は、前記第２制御信号を前記第１無線基地局から受信し、前記第３プロトコルに従って前記ハンドオーバ手順用の第３制御信号を生成して前記交換局に送信することなく前記第２リレーノードに送信するように構成されていることを要旨とする。
【００１０】
本発明の第４の特徴は、リレーノード及び他の無線基地局に接続されており、移動局の該リレーノード配下のセルから該他の無線基地局配下のセルへのハンドオーバ手順を行うように構成されている移動通信システムで用いられる無線基地局であって、前記リレーノードとの間で、第１プロトコルを終端し、かつ、前記第２無線基地局との間で、第２プロトコルを終端するように構成されており、前記第１プロトコルに従って生成された前記ハンドオーバ手順用の第１制御信号を前記リレーノードから受信し、前記第２プロトコルに従って前記ハンドオーバ手順用の第２制御信号を生成して交換局に送信することなく前記他の無線基地局に送信するように構成されていることを要旨とする。
【００１１】
本発明の第５の特徴は、リレーノード及び他の無線基地局に接続されており、移動局の該他の無線基地局配下のセルから該リレーノード配下のセルへのハンドオーバ手順を行うように構成されている移動通信システムで用いられる無線基地局であって、前記リレーノードとの間で、第１プロトコルを終端し、かつ、前記第２無線基地局との間で、第２プロトコルを終端するように構成されており、前記第２プロトコルに従って生成された前記ハンドオーバ手順用の第２制御信号を前記他の無線基地局から受信し、前記第１プロトコルに従って前記ハンドオーバ手順用の第１制御信号を生成して交換局に送信することなく前記リレーノードに送信するように構成されていることを要旨とする。
【発明の効果】
【００１２】
以上説明したように、本発明によれば、無線基地局に接続されているリレーノード配下のセルから別の無線基地局配下のセルに対する移動局のハンドオーバ、及び、無線基地局に接続されているリレーノード配下のセルから別の無線基地局に接続されている別のリレーノード配下のセルに対する移動局のハンドオーバを可能とする移動通信システム及び無線基地局を提供することができる。
【図面の簡単な説明】
【００１３】
【図１】本発明の第１の実施形態に係る移動通信システムの全体構成図である。
【図２】本発明の第１の実施形態に係る移動通信システムにおけるＣ-ｐｌａｎｅのプロトコルスタック図である。
【図３】本発明の第１の実施形態に係る移動通信システムにおけるＵ-ｐｌａｎｅのプロトコルスタック図である。
【図４】本発明の第１の実施形態に係る移動通信システムにおいて、無線基地局ＤｅＮＢがＳ１インターフェイス用プロトコルとＸ２インターフェイス用プロトコルとの間の変換を行う際に必要な情報を取得する動作について説明するシーケンス図である。
【図５】本発明の第１の実施形態に係る移動通信システムにおいて、無線基地局ＤｅＮＢがＳ１インターフェイス用プロトコルとＸ２インターフェイス用プロトコルとの間の変換を行う際に必要な情報の一例を示す図である。
【図６】本発明の第１の実施形態に係る移動通信システムにおいて、移動局ＵＥがリレーノードＲＮ＃１から無線基地局ｅＮＢにハンドオーバする動作について説明するシーケンス図である。
【図７】本発明の第１の実施形態に係る移動通信システムにおいて、無線基地局ＤｅＮＢ＃１がＳ１-Ｘ２プロトコル変換を行う動作について説明するための図である。
【図８】本発明の第１の実施形態に係る移動通信システムにおいて、移動局ＵＥが無線基地局ｅＮＢからリレーノードＲＮ＃１にハンドオーバする動作について説明するシーケンス図である。
【図９】本発明の第１の実施形態に係る移動通信システムにおいて、移動局ＵＥがリレーノードＲＮ＃１からリレーノードＲＮ＃３にハンドオーバする動作について説明するシーケンス図である。
【発明を実施するための形態】
【００１４】
（本発明の第１の実施形態に係る移動通信システム）
図１乃至図９を参照して、本発明の第１の実施形態に係る移動通信システムについて説明する。
【００１５】
本実施形態に係る移動通信システムは、ＬＴＥ-Ａｄｖａｎｃｅｄ方式の移動通信システムであって、図１に示すように、交換局ＭＭＥと、複数の無線基地局ｅＮＢ/ＤｅＮＢ＃１/ＤｅＮＢ＃２と、複数のリレーノードＲＮ＃１/ＲＮ＃２/ＲＮ＃３/ＲＮ＃４と、移動局ＵＥとを具備している。
【００１６】
本実施形態では、無線基地局ＤｅＮＢ＃１に接続されているリレーノードＲＮ＃１配下のセルから無線基地局ＤｅＮＢ＃１に接続されている無線基地局ｅＮＢ配下のセルに対する移動局ＵＥのハンドオーバ手順、無線基地局ＤｅＮＢ＃１に接続されている無線基地局ｅＮＢ配下のセルから無線基地局ＤｅＮＢ＃１に接続されているリレーノードＲＮ＃１配下のセルに対する移動局ＵＥのハンドオーバ手順、及び、無線基地局ＤｅＮＢ＃１に接続されているリレーノードＲＮ＃１配下のセルから無線基地局ＤｅＮＢ＃２に接続されているリレーノードＲＮ＃３配下のセルに対する移動局ＵＥのハンドオーバ手順を実現するための移動通信システムについて説明する。
【００１７】
図２に、本実施形態に係る移動通信システムにおけるＣ-ｐｌａｎｅのプロトコルスタックを示し、図３に、本実施形態に係る移動通信システムにおけるＵ-ｐｌａｎｅのプロトコルスタックを示す。
【００１８】
図２に示すように、移動局ＵＥは、Ｃ-ｐｌａｎｅのプロトコル機能として、物理（ＰＨＹ）レイヤ機能と、ＭＡＣ（Ｍｅｄｉａ  Ａｃｃｅｓｓ  Ｃｏｎｔｒｏｌ）レイヤ機能と、ＲＬＣ（Ｒａｄｉｏ  Ｌｉｎｋ  Ｃｏｎｔｒｏｌ）レイヤ機能と、ＰＤＣＰ（Ｐａｃｋｅｔ  Ｄａｔａ  Ｃｏｎｖｅｒｇｅｎｃｅ  Ｐｒｏｔｏｃｏｌ）レイヤ機能と、ＲＲＣ（Ｒａｄｉｏ  Ｒｅｓｏｕｒｃｅ  Ｃｏｎｔｒｏｌ）レイヤ機能とを具備している。
【００１９】
リレーノードＲＮは、Ｃ-ｐｌａｎｅのプロトコル機能として、移動局ＵＥ側に、物理（ＰＨＹ）レイヤ機能と、ＭＡＣレイヤ機能と、ＲＬＣレイヤ機能と、ＰＤＣＰレイヤ機能と、ＲＲＣレイヤ機能とを具備している。
【００２０】
また、リレーノードＲＮは、Ｃ-ｐｌａｎｅのプロトコル機能として、無線基地局ＤｅＮＢ側に、物理（ＰＨＹ）レイヤ機能と、ＭＡＣレイヤ機能と、ＲＬＣレイヤ機能と、ＰＤＣＰレイヤ機能と、ＩＰ（Ｉｎｔｅｒｎｅｔ  Ｐｒｏｔｏｃｏｌ）レイヤ機能と、ＳＣＴＰ（Ｓｔｒｅａｍ  Ｃｏｎｔｒｏｌ  Ｔｒａｎｓｍｉｓｓｉｏｎ  Ｐｒｏｔｏｃｏｌ）レイヤ機能と、Ｓ１ＡＰ（Ｓ１  Ａｐｐｌｉｃａｔｉｏｎ）レイヤ機能とを具備している。
【００２１】
無線基地局ＤｅＮＢは、Ｃ-ｐｌａｎｅのプロトコル機能として、リレーノードＲＮ側に、物理（ＰＨＹ）レイヤ機能と、ＭＡＣレイヤ機能と、ＲＬＣレイヤ機能と、ＰＤＣＰレイヤ機能と、ＩＰレイヤ機能と、ＳＣＴＰレイヤ機能と、Ｓ１ＡＰレイヤ機能とを具備している。
【００２２】
また、無線基地局ＤｅＮＢは、Ｃ-ｐｌａｎｅのプロトコル機能として、交換局ＭＭＥ（Ｍｏｂｉｌｉｔｙ  Ｍａｎａｇｅｍｅｎｔ  Ｅｎｔｉｔｙ）側に、ＮＷＬ１（Ｎｅｔｗｏｒｋ  Ｌａｙｅｒ  １）機能と、ＮＷＬ２（Ｎｅｔｗｏｒｋ  Ｌａｙｅｒ  ２）機能と、ＩＰレイヤ機能と、ＳＣＴＰレイヤ機能と、Ｓ１ＡＰレイヤ機能とを具備している。
【００２３】
交換局ＭＭＥは、Ｃ-ｐｌａｎｅのプロトコル機能として、ＮＷＬ１機能と、ＮＷＬ２機能と、ＩＰレイヤ機能と、ＳＣＴＰレイヤ機能と、Ｓ１ＡＰレイヤ機能とを具備している。
【００２４】
ここで、図２に示すように、リレーノードＲＮのＳ１ＡＰレイヤ機能と無線基地局ＤｅＮＢのＳ１ＡＰレイヤ機能との間で、Ｓ１インターフェイス用プロトコルが終端されており、無線基地局ＤｅＮＢのＳ１ＡＰレイヤ機能と交換局ＭＭＥのＳ１ＡＰレイヤ機能との間で、Ｓ１インターフェイス用プロトコルが終端されている。
【００２５】
また、図３に示すように、移動局ＵＥは、Ｕ-ｐｌａｎｅのプロトコル機能として、物理（ＰＨＹ）レイヤ機能と、ＭＡＣレイヤ機能と、ＲＬＣレイヤ機能と、ＰＤＣＰレイヤ機能と、ＲＲＣレイヤ機能とを具備している。
【００２６】
リレーノードＲＮは、Ｕ-ｐｌａｎｅのプロトコル機能として、移動局ＵＥ側に、物理（ＰＨＹ）レイヤ機能と、ＭＡＣレイヤ機能と、ＲＬＣレイヤ機能と、ＰＤＣＰレイヤ機能と、ＲＲＣレイヤ機能とを具備している。
【００２７】
また、リレーノードＲＮは、Ｕ-ｐｌａｎｅのプロトコル機能として、無線基地局ＤｅＮＢ側に、物理（ＰＨＹ）レイヤ機能と、ＭＡＣレイヤ機能と、ＲＬＣレイヤ機能と、ＰＤＣＰレイヤ機能と、ＩＰレイヤ機能と、ＵＤＰ（Ｕｓｅｒ  Ｄａｔａｇｒａｍ  Ｐｒｏｔｏｃｏｌ）レイヤ機能と、ＧＴＰ（ＧＰＲＳ  Ｔｕｎｎｅｌｉｎｇ  Ｐｒｏｔｏｃｏｌ）-Ｕレイヤ機能とを具備している。
【００２８】
無線基地局ＤｅＮＢは、Ｕ-ｐｌａｎｅのプロトコル機能として、リレーノードＲＮ側に、物理（ＰＨＹ）レイヤ機能と、ＭＡＣレイヤ機能と、ＲＬＣレイヤ機能と、ＰＤＣＰレイヤ機能と、ＩＰレイヤ機能と、ＵＤＰレイヤ機能と、ＧＴＰ-Ｕレイヤ機能とを具備している。
【００２９】
また、無線基地局ＤｅＮＢは、Ｕ-ｐｌａｎｅのプロトコル機能として、交換局ＭＭＥ側に、ＮＷＬ１機能と、ＮＷＬ２機能と、ＩＰレイヤ機能と、ＵＤＰレイヤ機能と、ＧＴＰ-Ｕレイヤ機能とを具備している。
【００３０】
交換局ＭＭＥは、Ｕ-ｐｌａｎｅのプロトコル機能として、ＮＷＬ１機能と、ＮＷＬ２機能と、ＩＰレイヤ機能と、ＵＤＰレイヤ機能と、ＧＴＰ-Ｕレイヤ機能とを具備している。
【００３１】
以下、図４乃至図９を参照して、本発明の第１の実施形態に係る移動通信システムの動作について説明する。
【００３２】
第１に、図４及び図５を参照して、本実施形態に係る移動通信システムにおいて、無線基地局ＤｅＮＢが、移動局ＵＥの位置登録処理（Ａｔｔａｃｈ処理）において、Ｓ１インターフェイス用プロトコルとＸ２インターフェイス用プロトコルとの間の変換を行う際に必要な情報を取得する動作について説明する。
【００３３】
図４に示すように、ステップＳ１００１において、移動局ＵＥは、リレーノードＲＮに対して、「ＲＡＣＨ（Ｒａｎｄｏｍ  Ａｃｃｅｓｓ  Ｃｈａｎｎｅｌ）  ｐｒｅａｍｂｌｅ」を送信し、ステップＳ１００２において、リレーノードＲＮは、移動局ＵＥに対して、「ＲＡＣＨ  ｒｅｓｐｏｎｓｅ」を送信する。
【００３４】
ステップＳ１００３において、移動局ＵＥは、リレーノードＲＮに対して、「ＲＡＣＨ  ｒｅｓｐｏｎｓｅ」によって割り当てられた無線リソースを用いて、「ＲＲＣ  Ｃｏｎｎｅｃｔｉｏｎ  Ｒｅｑｕｅｓｔ」を送信し、ステップＳ１００４において、リレーノードＲＮは、移動局ＵＥに対して、「ＲＲＣ  Ｃｏｎｎｅｃｔｉｏｎ  Ｓｅｔｕｐ」を送信する。
【００３５】
ステップＳ１００５において、移動局ＵＥは、リレーノードＲＮに対して、「Ａｔｔａｃｈ  Ｒｅｑｕｅｓｔ」を含む「ＲＲＣ  Ｃｏｎｎｅｃｔｉｏｎ  Ｓｅｔｕｐ  Ｃｏｍｐｌｅｔｅ」を送信する。
【００３６】
ステップＳ１００６において、リレーノードＲＮは、かかるリレーノードＲＮが接続されている無線基地局ＤｅＮＢに対して、上述の「Ａｔｔａｃｈ  Ｒｅｑｕｅｓｔ」を含む「Ｉｎｉｔｉａｌ  ＵＥ  Ｍｅｓｓａｇｅ」を送信し、ステップＳ１００７において、無線基地局ＤｅＮＢは、交換局ＭＭＥに対して、上述の「Ａｔｔａｃｈ  Ｒｅｑｕｅｓｔ」を含む「Ｉｎｉｔｉａｌ  ＵＥ  Ｍｅｓｓａｇｅ」を送信する。
【００３７】
ステップＳ１００８において、移動局ＵＥと交換局ＭＭＥとの間で、Ａｕｔｈｅｎｔｉｃａｔｉｏｎ処理及びＳｅｃｕｒｉｔｙ処理が行われた後、交換局ＭＭＥは、移動局ＵＥに係る所定の登録処理を行う。
【００３８】
ステップＳ１００９において、交換局ＭＭＥは、無線基地局ＤｅＮＢに対して、「Ａｔｔａｃｈ  Ａｃｃｅｐｔ」を含む「Ｉｎｉｔｉａｌ  Ｃｏｎｔｅｘｔ  Ｓｅｔｕｐ  Ｒｅｑｕｅｓｔ」を送信する。
【００３９】
ステップＳ１０１０において、無線基地局ＤｅＮＢは、受信した「Ｉｎｉｔｉａｌ  Ｃｏｎｔｅｘｔ  Ｓｅｔｕｐ  Ｒｅｑｕｅｓｔ」に基づいて、Ｓ１インターフェイス用プロトコルとＸ２インターフェイス用プロトコルとの間の変換を行う際に必要な情報を生成する。
【００４０】
具体的には、かかる情報は、図５に示すように、「ＧＵＭＭＩ」と「ＵＥ  Ｓｅｃｕｒｉｔｙ  Ｃａｐａｂｉｌｉｔｉｅｓ」と「ＡＳ  Ｓｅｃｕｒｉｔｙ  Ｉｎｆｏｒｍａｔｉｏｎ」と「ＵＥ  Ａｇｇｒｅｇａｔｅ  Ｍａｘｉｍｕｍ  Ｂｉｔ  Ｒａｔｅ」と「Ｅ-ＲＡＢ  Ｌｅｖｅｌ  ＱｏＳ  Ｐａｒａｍｅｔｅｒｓ」と「ＵＬ  ＧＴＰ  Ｔｕｎｎｅｌ  Ｅｎｄｐｏｉｎｔ」と「Ｈａｎｄｏｖｅｒ  Ｒｅｓｔｒｉｃｔｉｏｎ  Ｌｉｓｔ」と「Ｔｒａｃｅ  Ａｃｔｉｖａｔｉｏｎ」と「ＳＲＶＣＣ  Ｏｐｅｒａｔｉｏｎ  Ｐｏｓｓｉｂｌｅ」とを具備している。
【００４１】
ここで、無線基地局ＤｅＮＢは、図５に示す情報のうち、「ＧＵＭＭＩ」以外の情報については、「Ｉｎｉｔｉａｌ  Ｃｏｎｔｅｘｔ  Ｓｅｔｕｐ  Ｒｅｑｕｅｓｔ」から取得するように構成されている。なお、無線基地局ＤｅＮＢは、「ＧＵＭＭＩ」としては、自身が管理している情報を用いる。
【００４２】
ステップＳ１０１１において、無線基地局ＤｅＮＢは、リレーノードＲＮに対して、「Ａｔｔａｃｈ  Ａｃｃｅｐｔ」を含む「Ｉｎｉｔｉａｌ  Ｃｏｎｔｅｘｔ  Ｓｅｔｕｐ  Ｒｅｑｕｅｓｔ」を送信する。
【００４３】
リレーノードＲＮは、移動局ＵＥに対して、ステップＳ１０１２において、「Ｓｅｃｕｒｉｔｙ  Ｍｏｄｅ  Ｃｏｍｍａｎｄ」を送信し、ステップＳ１０１３において、「Ａｔｔａｃｈ  Ａｃｃｅｐｔ」を含む「ＲＲＣ  Ｃｏｎｎｃｅｔｉｏｎ  Ｒｅｃｏｎｆｉｇｕｒａｔｉｏｎ」を送信する。
【００４４】
移動局ＵＥは、リレーノードＲＮに対して、ステップＳ１０１４において、「Ｓｅｃｕｒｉｔｙ  Ｍｏｄｅ  Ｃｏｍｐｌｅｔｅ」を送信し、ステップＳ１０１５において、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００４５】
リレーノードＲＮは、ステップＳ１０１６において、移動局ＵＥに係る「ＵＥ  Ｃｏｎｔｅｘｔ」を生成すると共に、ステップＳ１０１７において、無線基地局ＤｅＮＢに対して、「Ｉｎｉｔｉａｌ  Ｃｏｎｔｅｘｔ  Ｓｅｔｕｐ  Ｒｅｓｐｏｎｓｅ」を送信する。
【００４６】
無線基地局ＤｅＮＢは、ステップＳ１０１８において、交換局ＭＭＥに対して、「Ｉｎｉｔｉａｌ  Ｃｏｎｔｅｘｔ  Ｓｅｔｕｐ  Ｒｅｓｐｏｎｓｅ」を送信すると共に、ステップＳ１０１９において、移動局ＵＥに係る「ＵＥ  Ｃｏｎｔｅｘｔ」を生成する。
【００４７】
ステップＳ１０２０において、移動局ＵＥは、交換局ＭＭＥに対して、「Ａｔｔａｃｈ  Ｃｏｍｐｌｅｔｅ」を送信する。
【００４８】
第２に、図６及び図７を参照して、本実施形態に係る移動通信システムにおいて、移動局ＵＥのリレーノードＲＮ＃１配下のセル＃１から無線基地局ｅＮＢ配下のセル＃２へのハンドオーバ手順を行う場合の動作について説明する。
【００４９】
ここで、図１に示すように、リレーノードＲＮ＃１のＳ１ＡＰレイヤ機能と無線基地局ＤｅＮＢ＃１のＳ１ＡＰレイヤ機能との間で、Ｓ１インターフェイス用プロトコルが終端しており、無線基地局ｅＮＢのＸ２ＡＰレイヤ機能と無線基地局ＤｅＮＢ＃１のＸ２ＡＰレイヤ機能との間で、Ｘ２インターフェイス用プロトコルが終端している。
【００５０】
図６に示すように、ステップＳ２００１において、リレーノードＲＮ＃１は、セル＃１において接続中の移動局ＵＥに対して、「Ｍｅａｓｕｒｅｍｅｎｔ  Ｃｏｎｔｒｏｌ」を送信する。
【００５１】
ステップＳ２００２において、移動局ＵＥは、上述の「Ｍｅａｓｕｒｅｍｅｎｔ  Ｃｏｎｔｒｏｌ」に基づいて、所定タイミングで、リレーノードＲＮ＃１に対して、「Ｍｅａｓｕｒｅｍｅｎｔ  Ｒｅｐｏｒｔ」を送信する。
【００５２】
リレーノードＲＮ＃１は、ステップＳ２００３において、移動局ＵＥのセル＃１からセル＃２へのハンドオーバ手順を開始することを決定すると、ステップＳ２００４において、無線基地局ＤｅＮＢ＃１に対して、「（Ｓ１）ＨＯ  Ｒｅｑｕｉｒｅｄ」を送信する。
【００５３】
ここで、かかる「（Ｓ１）ＨＯ  Ｒｅｑｕｉｒｅｄ」は、Ｓ１インターフェイス用プロトコルに従って生成された上述のハンドオーバ手順用の第１制御信号であって、リレーノードＲＮ＃１のＳ１ＡＰレイヤ機能によって送信され、無線基地局ＤｅＮＢ＃１のＳ１ＡＰレイヤ機能において終端される。
【００５４】
ステップＳ２００５において、無線基地局ＤｅＮＢ＃１は、Ｘ２インターフェイス用プロトコルに従って上述のハンドオーバ手順用の第２制御信号である「（Ｘ２）ＨＯ  Ｒｅｑｕｅｓｔ」を生成して交換局ＭＭＥに送信することなく無線基地局ｅＮＢに送信する。
【００５５】
なお、図７に示すように、無線基地局ＤｅＮＢ＃１は、Ｓ１インターフェイス用プロトコルとＸ２インターフェイス用プロトコルとの間の変換処理を行うことによって、すなわち、受信した「（Ｓ１）ＨＯ  Ｒｅｑｕｉｒｅｄ」及び上述の図５に示す情報に基づいて、「（Ｘ２）ＨＯ  Ｒｅｑｕｅｓｔ」を生成するように構成されている。
【００５６】
例えば、無線基地局ＤｅＮＢ＃１は、「（Ｓ１）ＨＯ  Ｒｅｑｕｉｒｅｄ」に含まれている情報要素「ＭＭＥ  ＵＥ  Ｓ１ＡＰ  ＩＤ」の値を、「（Ｘ２）ＨＯ  Ｒｅｑｕｅｓｔ」の情報要素「ＭＭＥ  ＵＥ  Ｓ１ＡＰ  ＩＤ」に設定する。
【００５７】
また、無線基地局ＤｅＮＢ＃１は、「（Ｓ１）ＨＯ  Ｒｅｑｕｉｒｅｄ」に含まれている情報要素「ｅＮＢ  ＵＥ  Ｓ１ＡＰ  ＩＤ」の値を、「（Ｘ２）ＨＯ  Ｒｅｑｕｅｓｔ」の情報要素「Ｏｌｄ  ＵＥ  Ｘ２ＡＰ  ＩＤ」に設定する。
【００５８】
無線基地局ＤｅＮＢ＃１は、「（Ｓ１）ＨＯ  Ｒｅｑｕｉｒｅｄ」に含まれている情報要素「Ｃａｕｓｅ」の値を、「（Ｘ２）ＨＯ  Ｒｅｑｕｅｓｔ」の情報要素「Ｃａｕｓｅ」に設定する。
【００５９】
無線基地局ＤｅＮＢ＃１は、「（Ｓ１）ＨＯ  Ｒｅｑｕｉｒｅｄ」に含まれている情報要素「Ｔａｒｇｅｔ  ＩＤ」の値を、「（Ｘ２）ＨＯ  Ｒｅｑｕｅｓｔ」の情報要素「Ｔａｒｇｅｔ    Ｃｅｌｌ  ＩＤ」に設定する。
【００６０】
さらに、無線基地局ＤｅＮＢ＃１は、「（Ｓ１）ＨＯ  Ｒｅｑｕｉｒｅｄ」に含まれている情報要素「Ｓｏｕｒｃｅ  ｔｏ  Ｔａｒｇｅｔ  Ｔｒａｎｓｐａｒｅｎｔ  Ｃｏｎｔａｉｎｅｒ」の値を、「（Ｘ２）ＨＯ  Ｒｅｑｕｅｓｔ」の情報要素「Ｓｕｂｓｃｒｉｂｅｒ  Ｐｒｏｆｉｌｅ  ＩＤ  ｆｏｒ  ＲＡＴ/Ｆｒｅｑｕｅｎｃｙ  ｐｒｉｏｒｉｔｙ」や「Ｅ-ＲＡＢＳ  Ｔｏ  Ｂｅ  Ｓｅｔｕｐ  Ｌｉｓｔ」や「Ｅ-ＲＡＢＳ  Ｔｏ  Ｂｅ  Ｓｅｔｕｐ  Ｉｔｅｍ」や「Ｅ-ＲＡＢ  ＩＤ」や「ＤＬ  Ｆｏｒｗａｒｄｉｎｇ」や「ＲＲＣ  Ｃｏｎｔｅｘｔ」や「ＵＥ  ＨＩｓとｒｙＩｎｆｏｒｍａｔｉｏｎ」」に設定する。
【００６１】
また、無線基地局ＤｅＮＢ＃１は、上述の図５に示す情報（すなわち、第２制御信号を生成するための情報）を、「（Ｘ２）ＨＯ  Ｒｅｑｕｅｓｔ」の情報要素「ＧＵＭＭＩ」や「ＵＥ  Ｓｅｃｕｒｉｔｙ  Ｃａｐａｂｉｌｉｔｉｅｓ」や「ＡＳ  Ｓｅｃｕｒｉｔｙ  Ｉｎｆｏｒｍａｔｉｏｎ」や「ＵＥ  Ａｇｇｒｅｇａｔｅ  Ｍａｘｉｍｕｍ  Ｂｉｔ  Ｒａｔｅ」や「Ｅ-ＲＡＢ  Ｌｅｖｅｌ  ＱｏＳ  Ｐａｒａｍｅｔｅｒｓ」や「ＵＬ  ＧＴＰ  Ｔｕｎｎｅｌ  Ｅｎｄｐｏｉｎｔ」や「Ｈａｎｄｏｖｅｒ  Ｒｅｓｔｒｉｃｔｉｏｎ  Ｌｉｓｔ」と「Ｔｒａｃｅ  Ａｃｔｉｖａｔｉｏｎ」や「ＳＲＶＣＣ  Ｏｐｅｒａｔｉｏｎ  Ｐｏｓｓｉｂｌｅ」に設定する。
【００６２】
ステップＳ２００６において、無線基地局ｅＮＢは、無線基地局ＤｅＮＢ＃１に対して、「（Ｘ２）ＨＯ  Ｒｅｑｕｅｓｔ  ＡＣＫ」を送信する。
【００６３】
ステップＳ２００７において、無線基地局ＤｅＮＢ＃１は、Ｓ１インターフェイス用プロトコルとＸ２インターフェイス用プロトコルとの間の変換処理を行うことによって生成した「（Ｓ１）ＨＯ  Ｃｏｍｍａｎｄ」を、リレーノードＲＮ＃１に対して送信する。
【００６４】
ここで、かかる「（Ｓ１）ＨＯ  Ｃｏｍｍａｎｄ」は、無線基地局ＤｅＮＢ＃１のＳ１ＡＰレイヤ機能によって送信され、リレーノードＲＮ＃１のＳ１ＡＰレイヤ機能において終端される。
【００６５】
リレーノードＲＮ＃１は、ステップＳ２００８において、移動局ＵＥに対して、「ＲＲＣ  Ｃｏｎｎｅｃｔｉｏｎ  Ｒｅｃｏｎｆｉｇｕｒａｔｉｏｎ」を送信し、ステップＳ２００９において、無線基地局ＤｅＮＢ＃１に対して、「（Ｓ１）ｅＮＢ  Ｓｔａｔｕｓ  Ｔｒａｎｓｆｅｒ」を送信する。
【００６６】
ここで、かかる「（Ｓ１）ｅＮＢ  Ｓｔａｔｕｓ  Ｔｒａｎｓｆｅｒ」は、リレーノードＲＮ＃１のＳ１ＡＰレイヤ機能によって送信され、無線基地局ＤｅＮＢ＃１のＳ１ＡＰレイヤ機能において終端される。
【００６７】
ステップＳ２０１０において、無線基地局ＤｅＮＢ＃１は、Ｓ１インターフェイス用プロトコルとＸ２インターフェイス用プロトコルとの間の変換処理を行うことによって生成した「（Ｘ２）ＳＮ  Ｓｔａｔｕｓ  Ｔｒａｎｓｆｅｒ」を、無線基地局ｅＮＢに対して送信する。
【００６８】
ステップＳ２０１１において、移動局ＵＥは、セル＃１からのデタッチ処理を行い、セル＃２との間で同期処理を行う。
【００６９】
ステップＳ２０１２において、移動局ＵＥは、無線基地局ｅＮＢに対して、「Ｒａｎｄｏｍ  Ａｃｃｅｓｓ  Ｐｒｅａｍｂｌｅ」を送信し、ステップＳ２０１３において、無線基地局ｅＮＢは、移動局ＵＥに対して、上りリンクにおける無線リソースを割り当て、移動局ＵＥ用の「ＴＡ（Ｔｉｍｉｎｇ  Ａｄｊｕｓｔｍｅｎｔ）」を送信し、ステップＳ２０１４において、移動局ＵＥは、無線基地局ｅＮＢに対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００７０】
ステップＳ２０１５において、無線基地局ｅＮＢは、交換局ＭＭＥに対して、「（Ｓ１）Ｐａｔｈ  Ｓｗｉｔｃｈ  Ｒｅｑｕｅｓｔ」を送信する。
【００７１】
ここで、かかる「（Ｓ１）Ｐａｔｈ  Ｓｗｉｔｃｈ  Ｒｅｑｕｅｓｔ」は、無線基地局ｅＮＢのＳ１ＡＰレイヤ機能によって送信され、交換局ＭＭＥのＳ１ＡＰレイヤ機能において終端される。
【００７２】
ステップＳ２０１６において、交換局ＭＭＥは、ゲートウェイ装置Ｓ-ＧＷ（Ｓｅｒｖｉｎｇ  Ｇａｔｅｗａｙ）に対して、「（Ｓ１１）Ｕ-ｐｌａｎｅ  Ｕｐｄａｔｅ  Ｒｅｑｕｅｓｔ」を送信する。
【００７３】
ステップＳ２０１７において、ゲートウェイ装置Ｓ-ＧＷは、リレーノードＲＮ＃１（又は、無線基地局ＤｅＮＢ＃１）に対して、「Ｅｎｄ  Ｍａｒｋｅｒ」を送信し、ステップＳ２０１８において、リレーノードＲＮ＃１（又は、無線基地局ＤｅＮＢ＃１）は、無線基地局ｅＮＢに対して、「Ｅｎｄ  Ｍａｒｋｅｒ」を送信する。
【００７４】
ステップＳ２０１９において、ゲートウェイ装置Ｓ-ＧＷは、交換局ＭＭＥに対して、「（Ｓ１１）Ｕ-ｐｌａｎｅ  Ｕｐｄａｔｅ  Ｒｅｓｐｏｎｓｅ」を送信する。
【００７５】
ステップＳ２０２０において、交換局ＭＭＥは、無線基地局ｅＮＢに対して、「（Ｓ１）Ｐａｔｈ  Ｓｗｉｔｃｈ  Ｒｅｑｕｅｓｔ  ＡＣＫ」を送信する。
【００７６】
ここで、かかる「（Ｓ１）Ｐａｔｈ  Ｓｗｉｔｃｈ  Ｒｅｑｕｅｓｔ  ＡＣＫ」は、交換局ＭＭＥのＳ１ＡＰレイヤ機能によって送信され、無線基地局ｅＮＢのＳ１ＡＰレイヤ機能において終端される。
【００７７】
ステップＳ２０２１において、無線基地局ｅＮＢは、無線基地局ＤｅＮＢ＃１に対して、「（Ｘ２）ＵＥ  Ｃｏｎｔｅｘｔ  Ｒｅｌｅａｓｅ」を送信する。
【００７８】
ステップＳ２０２２において、無線基地局ＤｅＮＢ＃１は、Ｓ１インターフェイス用プロトコルとＸ２インターフェイス用プロトコルとの間の変換処理を行うことによって生成した「（Ｓ１）ＵＥ  Ｃｏｎｔｅｘｔ  Ｒｅｌｅａｓｅ」を、リレーノードＲＮ＃１に対して送信する。
【００７９】
ここで、かかる「（Ｓ１）ＵＥ  Ｃｏｎｔｅｘｔ  Ｒｅｌｅａｓｅ」は、無線基地局ＤｅＮＢ＃１のＳ１ＡＰレイヤ機能によって送信され、リレーノードＲＮ＃１のＳ１ＡＰレイヤ機能において終端される。
【００８０】
第３に、図８を参照して、本実施形態に係る移動通信システムにおいて、移動局ＵＥの無線基地局ｅＮＢ配下のセル＃２からリレーノードＲＮ＃１配下のセル＃１へのハンドオーバ手順を行う場合の動作について説明する。
【００８１】
ここで、図１に示すように、リレーノードＲＮ＃１のＳ１ＡＰレイヤ機能と無線基地局ＤｅＮＢ＃１のＳ１ＡＰレイヤ機能との間で、Ｓ１インターフェイス用プロトコルが終端しており、無線基地局ｅＮＢのＸ２ＡＰレイヤ機能と無線基地局ＤｅＮＢ＃１のＸ２ＡＰレイヤ機能との間で、Ｘ２インターフェイス用プロトコルが終端している。
【００８２】
図８に示すように、ステップＳ３００１において、無線基地局ｅＮＢは、セル＃２において接続中の移動局ＵＥに対して、「Ｍｅａｓｕｒｅｍｅｎｔ  Ｃｏｎｔｒｏｌ」を送信する。
【００８３】
ステップＳ３００２において、移動局ＵＥは、上述の「Ｍｅａｓｕｒｅｍｅｎｔ  Ｃｏｎｔｒｏｌ」に基づいて、所定タイミングで、無線基地局ｅＮＢに対して、「Ｍｅａｓｕｒｅｍｅｎｔ  Ｒｅｐｏｒｔ」を送信する。
【００８４】
無線基地局ｅＮＢは、ステップＳ３００３において、移動局ＵＥのセル＃２からセル＃１へのハンドオーバ手順を開始することを決定すると、ステップＳ３００４において、無線基地局ＤｅＮＢ＃１に対して、「（Ｘ２）ＨＯ  Ｒｅｑｕｅｓｔ」を送信する。
【００８５】
ここで、かかる「（Ｘ２）ＨＯ  Ｒｅｑｕｅｓｔ」は、Ｘ２インターフェイス用プロトコルに従って生成された上述のハンドオーバ手順用の第２制御信号である。
【００８６】
ステップＳ３００５において、無線基地局ＤｅＮＢ＃１は、Ｓ１インターフェイス用プロトコルに従って上述のハンドオーバ手順用の第１制御信号である「（Ｓ１）ＨＯ  Ｒｅｑｕｅｓｔ」を生成して交換局ＭＭＥに送信することなくリレーノードＲＮ＃１に送信する。
【００８７】
なお、無線基地局ＤｅＮＢ＃１は、Ｓ１インターフェイス用プロトコルとＸ２インターフェイス用プロトコルとの間の変換処理を行うことによって、すなわち、受信した「（Ｘ２）ＨＯ  Ｒｅｑｕｅｓｔ」及び上述の第１制御信号を生成するための情報に基づいて、「（Ｓ１）ＨＯ  Ｒｅｑｕｅｓｔ」を生成するように構成されている。
【００８８】
ここで、かかる「（Ｓ１）ＨＯ  Ｒｅｑｕｅｓｔ」は、無線基地局ＤｅＮＢ＃１のＳ１ＡＰレイヤ機能によって送信され、リレーノードＲＮ＃１のＳ１ＡＰレイヤ機能において終端される。
【００８９】
ステップＳ３００６において、リレーノードＲＮ＃１は、無線基地局ＤｅＮＢ＃１に対して、「（Ｓ１）ＨＯ  Ｒｅｑｕｅｓｔ  ＡＣＫ」を送信する。
【００９０】
ここで、かかる「（Ｓ１）ＨＯ  Ｒｅｑｕｅｓｔ  ＡＣＫ」は、リレーノードＲＮ＃１のＳ１ＡＰレイヤ機能によって送信され、無線基地局ＤｅＮＢ＃１のＳ１ＡＰレイヤ機能において終端される。
【００９１】
ステップＳ３００７において、無線基地局ＤｅＮＢ＃１は、Ｓ１インターフェイス用プロトコルとＸ２インターフェイス用プロトコルとの間の変換処理を行うことによって生成した「（Ｘ２）ＨＯ  Ｒｅｑｕｅｓｔ  ＡＣＫ」を、無線基地局ｅＮＢに対して送信する。
【００９２】
無線基地局ｅＮＢは、ステップＳ３００８において、移動局ＵＥに対して、「ＲＲＣ  Ｃｏｎｎｅｃｔｉｏｎ  Ｒｅｃｏｎｆｉｇｕｒａｔｉｏｎ」を送信し、ステップＳ３００９において、無線基地局ＤｅＮＢ＃１に対して、「（Ｘ２）ＳＮ  Ｓｔａｔｕｓ  Ｔｒａｎｓｆｅｒ」を送信する。
【００９３】
ステップＳ３０１０において、無線基地局ＤｅＮＢ＃１は、Ｓ１インターフェイス用プロトコルとＸ２インターフェイス用プロトコルとの間の変換処理を行うことによって生成した「（Ｓ１）ＭＭＥ  Ｓｔａｔｕｓ  Ｔｒａｎｓｆｅｒ」を、リレーノードＲＮ＃１に対して送信する。
【００９４】
ここで、かかる「（Ｓ１）ＭＭＥ  Ｓｔａｔｕｓ  Ｔｒａｎｓｆｅｒ」は、無線基地局ＤｅＮＢ＃１のＳ１ＡＰレイヤ機能によって送信され、リレーノードＲＮ＃１のＳ１ＡＰレイヤ機能において終端される。
【００９５】
ステップＳ３０１１において、移動局ＵＥは、セル＃２からのデタッチ処理を行い、セル＃１との間で同期処理を行う。
【００９６】
ステップＳ３０１２において、移動局ＵＥは、リレーノードＲＮ＃１に対して、「Ｒａｎｄｏｍ  Ａｃｃｅｓｓ  Ｐｒｅａｍｂｌｅ」を送信し、ステップＳ３０１３において、リレーノードＲＮ＃１は、移動局ＵＥに対して、上りリンクにおける無線リソースを割り当て、移動局ＵＥ用の「ＴＡ」を送信し、ステップＳ３０１４において、移動局ＵＥは、リレーノードＲＮ＃１に対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００９７】
ステップＳ３０１５において、リレーノードＲＮ＃１は、無線基地局ＤｅＮＢ＃１に対して、「（Ｓ１）Ｐａｔｈ  Ｓｗｉｔｃｈ  Ｒｅｑｕｅｓｔ」を送信する。
【００９８】
ここで、かかる「（Ｓ１）Ｐａｔｈ  Ｓｗｉｔｃｈ  Ｒｅｑｕｅｓｔ」は、リレーノードＲＮ＃１のＳ１ＡＰレイヤ機能によって送信され、無線基地局ＤｅＮＢ＃１のＳ１ＡＰレイヤ機能において終端される。
【００９９】
ステップＳ３０１６において、無線基地局ＤｅＮＢ＃１は、交換局ＭＭＥに対して、「（Ｓ１）Ｐａｔｈ  Ｓｗｉｔｃｈ  Ｒｅｑｕｅｓｔ」を送信する。
【０１００】
ここで、かかる「（Ｓ１）Ｐａｔｈ  Ｓｗｉｔｃｈ  Ｒｅｑｕｅｓｔ」は、無線基地局ＤｅＮＢ＃１のＳ１ＡＰレイヤ機能によって送信され、交換局ＭＭＥのＳ１ＡＰレイヤ機能において終端される。
【０１０１】
ステップＳ３０１７において、交換局ＭＭＥは、ゲートウェイ装置Ｓ-ＧＷに対して、「（Ｓ１１）Ｕ-ｐｌａｎｅ  Ｕｐｄａｔｅ  Ｒｅｑｕｅｓｔ」を送信する。
【０１０２】
ステップＳ３０１８において、ゲートウェイ装置Ｓ-ＧＷは、リレーノードＲＮ＃１に対して、「Ｅｎｄ  Ｍａｒｋｅｒ」を送信する。
【０１０３】
ステップＳ３０１９において、ゲートウェイ装置Ｓ-ＧＷは、交換局ＭＭＥに対して、「（Ｓ１１）Ｕ-ｐｌａｎｅ  Ｕｐｄａｔｅ  Ｒｅｓｐｏｎｓｅ」を送信する。
【０１０４】
ステップＳ３０２０において、交換局ＭＭＥは、無線基地局ＤｅＮＢ＃１に対して、「（Ｓ１）Ｐａｔｈ  Ｓｗｉｔｃｈ  Ｒｅｑｕｅｓｔ  ＡＣＫ」を送信する。
【０１０５】
ここで、かかる「（Ｓ１）Ｐａｔｈ  Ｓｗｉｔｃｈ  Ｒｅｑｕｅｓｔ  ＡＣＫ」は、交換局ＭＭＥのＳ１ＡＰレイヤ機能によって送信され、無線基地局ＤｅＮＢ＃１のＳ１ＡＰレイヤ機能において終端される。
【０１０６】
ステップＳ３０２１において、無線基地局ＤｅＮＢ＃１は、リレーノードＲＮ＃１に対して、「（Ｓ１）Ｐａｔｈ  Ｓｗｉｔｃｈ  Ｒｅｑｕｅｓｔ  ＡＣＫ」を送信する。
【０１０７】
ここで、かかる「（Ｓ１）Ｐａｔｈ  Ｓｗｉｔｃｈ  Ｒｅｑｕｅｓｔ  ＡＣＫ」は、無線基地局ＤｅＮＢ＃１のＳ１ＡＰレイヤ機能によって送信され、リレーノードＲＮ＃１のＳ１ＡＰレイヤ機能において終端される。
【０１０８】
ステップＳ３０２２において、リレーノードＲＮ＃１は、無線基地局ＤｅＮＢ＃１に対して、「（Ｓ１）ＨＯ  ｎｏｔｉｆｙ」を送信する。
【０１０９】
ここで、かかる「（Ｓ１）ＨＯ  ｎｏｔｉｆｙ」は、リレーノードＲＮ＃１のＳ１ＡＰレイヤ機能によって送信され、無線基地局ＤｅＮＢ＃１のＳ１ＡＰレイヤ機能において終端される。
【０１１０】
ステップＳ３０２３において、無線基地局ＤｅＮＢ＃１は、Ｓ１インターフェイス用プロトコルとＸ２インターフェイス用プロトコルとの間の変換処理を行うことによって生成した「（Ｘ２）ＵＥ  Ｃｏｎｔｅｘｔ  Ｒｅｌｅａｓｅ」を、無線基地局ｅＮＢに対して送信する。
【０１１１】
第４に、図９を参照して、本実施形態に係る移動通信システムにおいて、移動局ＵＥのリレーノードＲＮ＃１配下のセル＃１からリレーノードＲＮ＃３配下のセル＃３へのハンドオーバ手順を行う場合の動作について説明する。
【０１１２】
ここで、図１に示すように、リレーノードＲＮ＃１のＳ１ＡＰレイヤ機能と無線基地局ＤｅＮＢ＃１のＳ１ＡＰレイヤ機能との間で、Ｓ１インターフェイス用プロトコルが終端しており、無線基地局ＤｅＮＢ＃１のＸ２ＡＰレイヤ機能と無線基地局ＤｅＮＢ＃２のＸ２ＡＰレイヤ機能との間で、Ｘ２インターフェイス用プロトコルが終端しており、リレーノードＲＮ＃３のＳ１ＡＰレイヤ機能と無線基地局ＤｅＮＢ＃２のＳ１ＡＰレイヤ機能との間で、Ｓ１インターフェイス用プロトコルが終端している。
【０１１３】
図９に示すように、ステップＳ４００１において、リレーノードＲＮ＃１は、セル＃１において接続中の移動局ＵＥに対して、「Ｍｅａｓｕｒｅｍｅｎｔ  Ｃｏｎｔｒｏｌ」を送信する。
【０１１４】
ステップＳ４００２において、移動局ＵＥは、上述の「Ｍｅａｓｕｒｅｍｅｎｔ  Ｃｏｎｔｒｏｌ」に基づいて、所定タイミングで、リレーノードＲＮ＃１に対して、「Ｍｅａｓｕｒｅｍｅｎｔ  Ｒｅｐｏｒｔ」を送信する。
【０１１５】
リレーノードＲＮ＃１は、ステップＳ４００３において、移動局ＵＥのセル＃１からセル＃３へのハンドオーバ手順を開始することを決定すると、ステップＳ４００４において、無線基地局ＤｅＮＢ＃１に対して、「（Ｓ１）ＨＯ  Ｒｅｑｕｉｒｅｄ」を送信する。
【０１１６】
ここで、かかる「（Ｓ１）ＨＯ  Ｒｅｑｕｉｒｅｄ」は、Ｓ１インターフェイス用プロトコルに従って生成された上述のハンドオーバ手順用の第１制御信号であって、リレーノードＲＮ＃１のＳ１ＡＰレイヤ機能によって送信され、無線基地局ＤｅＮＢ＃１のＳ１ＡＰレイヤ機能において終端される。
【０１１７】
ステップＳ４００５において、無線基地局ＤｅＮＢ＃１は、Ｘ２インターフェイス用プロトコルに従って上述のハンドオーバ手順用の第２制御信号である「（Ｘ２）ＨＯ  Ｒｅｑｕｅｓｔ」を生成して交換局ＭＭＥに送信することなく無線基地局ＤｅＮＢ＃２に送信する。
【０１１８】
なお、図７に示すように、無線基地局ＤｅＮＢ＃１は、Ｓ１インターフェイス用プロトコルとＸ２インターフェイス用プロトコルとの間の変換処理を行うことによって、すなわち、受信した「（Ｓ１）ＨＯ  Ｒｅｑｕｉｒｅｄ」及び上述の図５に示す情報に基づいて、「（Ｘ２）ＨＯ  Ｒｅｑｕｅｓｔ」を生成するように構成されている。
【０１１９】
ステップＳ４００６において、無線基地局ＤｅＮＢ＃２は、Ｓ１インターフェイス用プロトコルに従って上述のハンドオーバ手順用の第３制御信号である「（Ｓ１）ＨＯ  Ｒｅｑｕｅｓｔ」を生成して交換局ＭＭＥに送信することなくリレーノードＲＮ＃３に送信する。
【０１２０】
なお、無線基地局ＤｅＮＢ＃２は、Ｓ１インターフェイス用プロトコルとＸ２インターフェイス用プロトコルとの間の変換処理を行うことによって、「（Ｓ１）ＨＯ  Ｒｅｑｕｅｓｔ」を生成するように構成されている。
【０１２１】
ここで、かかる「（Ｓ１）ＨＯ  Ｒｅｑｕｅｓｔ」は、リレーノードＲＮ＃３のＳ１ＡＰレイヤ機能によって送信され、無線基地局ＤｅＮＢ＃２のＳ１ＡＰレイヤ機能において終端される。
【０１２２】
ステップＳ４００７において、リレーノードＲＮ＃３は、無線基地局ＤｅＮＢ＃２に対して、「（Ｓ１）ＨＯ  Ｒｅｑｕｅｓｔ  ＡＣＫ」を送信する。
【０１２３】
ここで、かかる「（Ｓ１）ＨＯ  Ｒｅｑｕｅｓｔ  ＡＣＫ」は、無線基地局ＤｅＮＢ＃２のＳ１ＡＰレイヤ機能によって送信され、リレーノードＲＮ＃３のＳ１ＡＰレイヤ機能において終端される。
【０１２４】
ステップＳ４００８において、無線基地局ＤｅＮＢ＃２は、Ｓ１インターフェイス用プロトコルとＸ２インターフェイス用プロトコルとの間の変換処理を行うことによって生成した「（Ｘ２）ＨＯ  Ｒｅｑｕｅｓｔ  ＡＣＫ」を、無線基地局ＤｅＮＢ＃１に対して送信する。
【０１２５】
ステップＳ４００９において、無線基地局ＤｅＮＢ＃１は、Ｓ１インターフェイス用プロトコルとＸ２インターフェイス用プロトコルとの間の変換処理を行うことによって生成した「（Ｓ１）ＨＯ  Ｃｏｍｍａｎｄ」を、リレーノードＲＮ＃１に対して送信する。
【０１２６】
ここで、かかる「（Ｓ１）ＨＯ  Ｃｏｍｍａｎｄ」は、無線基地局ＤｅＮＢ＃１のＳ１ＡＰレイヤ機能によって送信され、リレーノードＲＮ＃１のＳ１ＡＰレイヤ機能において終端される。
【０１２７】
リレーノードＲＮ＃１は、ステップＳ４０１０において、移動局ＵＥに対して、「ＲＲＣ  Ｃｏｎｎｅｃｔｉｏｎ  Ｒｅｃｏｎｆｉｇｕｒａｔｉｏｎ」を送信し、ステップＳ４０１１において、無線基地局ＤｅＮＢ＃１に対して、「（Ｓ１）ｅＮＢ  Ｓｔａｔｕｓ  Ｔｒａｎｓｆｅｒ」を送信する。
【０１２８】
ここで、かかる「（Ｓ１）ｅＮＢ  Ｓｔａｔｕｓ  Ｔｒａｎｓｆｅｒ」は、リレーノードＲＮ＃１のＳ１ＡＰレイヤ機能によって送信され、無線基地局ＤｅＮＢ＃１のＳ１ＡＰレイヤ機能において終端される。
【０１２９】
ステップＳ４０１２において、無線基地局ＤｅＮＢ＃１は、Ｓ１インターフェイス用プロトコルとＸ２インターフェイス用プロトコルとの間の変換処理を行うことによって生成した「（Ｘ２）ＳＮ  Ｓｔａｔｕｓ  Ｔｒａｎｓｆｅｒ」を、無線基地局ＤｅＮＢ＃２に対して送信する。
【０１３０】
ステップＳ４０１３において、無線基地局ＤｅＮＢ＃２は、Ｓ１インターフェイス用プロトコルとＸ２インターフェイス用プロトコルとの間の変換処理を行うことによって生成した「（Ｓ１）ＭＭＥ  Ｓｔａｔｕｓ  Ｔｒａｎｓｆｅｒ」を、リレーノードＲＮ＃３に対して送信する。
【０１３１】
ここで、かかる「（Ｓ１）ＭＭＥ  Ｓｔａｔｕｓ  Ｔｒａｎｓｆｅｒ」は、無線基地局ＤｅＮＢ＃２のＳ１ＡＰレイヤ機能によって送信され、リレーノードＲＮ＃３のＳ１ＡＰレイヤ機能において終端される。
【０１３２】
ステップＳ４０１４において、移動局ＵＥは、セル＃１からのデタッチ処理を行い、セル＃３との間で同期処理を行う。
【０１３３】
ステップＳ４０１５において、移動局ＵＥは、リレーノードＲＮ＃３に対して、「Ｒａｎｄｏｍ  Ａｃｃｅｓｓ  Ｐｒｅａｍｂｌｅ」を送信し、ステップＳ４０１６において、リレーノードＲＮ＃３は、移動局ＵＥに対して、上りリンクにおける無線リソースを割り当て、移動局ＵＥ用の「ＴＡ」を送信し、ステップＳ４０１７において、移動局ＵＥは、リレーノードＲＮ＃３に対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【０１３４】
ステップＳ４０１８において、リレーノードＲＮ＃３は、無線基地局ＤｅＮＢ＃２に対して、「（Ｓ１）Ｐａｔｈ  Ｓｗｉｔｃｈ  Ｒｅｑｕｅｓｔ」を送信する。
【０１３５】
ここで、かかる「（Ｓ１）Ｐａｔｈ  Ｓｗｉｔｃｈ  Ｒｅｑｕｅｓｔ」は、リレーノードＲＮ＃３のＳ１ＡＰレイヤ機能によって送信され、無線基地局ＤｅＮＢ＃２のＳ１ＡＰレイヤ機能において終端される。
【０１３６】
ステップＳ４０１９において、無線基地局ＤｅＮＢ＃２は、交換局ＭＭＥに対して、「（Ｓ１）Ｐａｔｈ  Ｓｗｉｔｃｈ  Ｒｅｑｕｅｓｔ」を送信する。
【０１３７】
ここで、かかる「（Ｓ１）Ｐａｔｈ  Ｓｗｉｔｃｈ  Ｒｅｑｕｅｓｔ」は、無線基地局ＤｅＮＢ＃２のＳ１ＡＰレイヤ機能によって送信され、交換局ＭＭＥのＳ１ＡＰレイヤ機能において終端される。
【０１３８】
ステップＳ４０２０において、交換局ＭＭＥは、ゲートウェイ装置Ｓ-ＧＷに対して、「（Ｓ１１）Ｕ-ｐｌａｎｅ  Ｕｐｄａｔｅ  Ｒｅｑｕｅｓｔ」を送信する。
【０１３９】
ステップＳ４０２１において、ゲートウェイ装置Ｓ-ＧＷは、リレーノードＲＮ＃１（又は、無線基地局ＤｅＮＢ＃１）に対して、「Ｅｎｄ  Ｍａｒｋｅｒ」を送信し、ステップＳ４０２２において、リレーノードＲＮ＃１（又は、無線基地局ＤｅＮＢ＃１）は、リレーノードＲＮ＃３に対して、「Ｅｎｄ  Ｍａｒｋｅｒ」を送信する。
【０１４０】
ステップＳ４０２３において、ゲートウェイ装置Ｓ-ＧＷは、交換局ＭＭＥに対して、「（Ｓ１１）Ｕ-ｐｌａｎｅ  Ｕｐｄａｔｅ  Ｒｅｓｐｏｎｓｅ」を送信する。
【０１４１】
ステップＳ４０２４において、交換局ＭＭＥは、無線基地局ＤｅＮＢ＃２に対して、「（Ｓ１）Ｐａｔｈ  Ｓｗｉｔｃｈ  Ｒｅｑｕｅｓｔ  ＡＣＫ」を送信する。
【０１４２】
ここで、かかる「（Ｓ１）Ｐａｔｈ  Ｓｗｉｔｃｈ  Ｒｅｑｕｅｓｔ  ＡＣＫ」は、交換局ＭＭＥのＳ１ＡＰレイヤ機能によって送信され、無線基地局ＤｅＮＢ＃２のＳ１ＡＰレイヤ機能において終端される。
【０１４３】
ステップＳ４０２５において、無線基地局ＤｅＮＢ＃２は、リレーノードＲＮ＃３に対して、「（Ｓ１）Ｐａｔｈ  Ｓｗｉｔｃｈ  Ｒｅｑｕｅｓｔ  ＡＣＫ」を送信する。
【０１４４】
ここで、かかる「（Ｓ１）Ｐａｔｈ  Ｓｗｉｔｃｈ  Ｒｅｑｕｅｓｔ  ＡＣＫ」は、無線基地局ＤｅＮＢ＃２のＳ１ＡＰレイヤ機能によって送信され、リレーノードＲＮ＃３のＳ１ＡＰレイヤ機能において終端される。
【０１４５】
ステップＳ４０２６において、リレーノードＲＮ＃３は、無線基地局ＤｅＮＢ＃２に対して、「（Ｓ１）ＨＯ  ｎｏｔｉｆｙ」を送信する。
【０１４６】
ここで、かかる「（Ｓ１）ＨＯ  ｎｏｔｉｆｙ」は、リレーノードＲＮ＃３のＳ１ＡＰレイヤ機能によって送信され、無線基地局ＤｅＮＢ＃２のＳ１ＡＰレイヤ機能において終端される。
【０１４７】
ステップＳ４０２７において、無線基地局ＤｅＮＢ＃２は、Ｓ１インターフェイス用プロトコルとＸ２インターフェイス用プロトコルとの間の変換処理を行うことによって生成した「（Ｘ２）ＵＥ  Ｃｏｎｔｅｘｔ  Ｒｅｌｅａｓｅ」を、無線基地局ＤｅＮＢ＃１に対して送信する。
【０１４８】
ステップＳ４０２８において、無線基地局ＤｅＮＢ＃１は、Ｓ１インターフェイス用プロトコルとＸ２インターフェイス用プロトコルとの間の変換処理を行うことによって生成した「（Ｓ１）ＵＥ  Ｃｏｎｔｅｘｔ  Ｒｅｌｅａｓｅ」を、リレーノードＲＮ＃１に対して送信する。
【０１４９】
ここで、かかる「（Ｓ１）ＵＥ  Ｃｏｎｔｅｘｔ  Ｒｅｌｅａｓｅ」は、無線基地局ＤｅＮＢ＃１のＳ１ＡＰレイヤ機能によって送信され、リレーノードＲＮ＃１のＳ１ＡＰレイヤ機能において終端される。
【０１５０】
本発明の第１の実施形態に係る移動通信システムによれば、無線基地局ＤｅＮＢ＃１や無線基地局ＤｅＮＢ＃２が、Ｓ１ハンドオーバ手順における交換局ＭＭＥの役割を果たすことによって、リレーノードＲＮ＃１配下のセル＃１から無線基地局ｅＮＢ配下のセル＃２に対する移動局ＵＥのハンドオーバ、及び、リレーノードＲＮ＃１配下のセル＃１からリレーノードＲＮ＃３配下のセル＃３に対する移動局ＵＥのハンドオーバを実現することができる。
【０１５１】
以上に述べた本実施形態の特徴は、以下のように表現されていてもよい。
【０１５２】
本実施形態の第１の特徴は、無線基地局ＤｅＮＢ＃１（第１無線基地局）と、無線基地局ＤｅＮＢ＃１に接続されているリレーノードＲＮ＃１及び無線基地局ｅＮＢ（第２無線基地局）とを具備しており、移動局ＵＥのリレーノードＲＮ＃１配下のセルから無線基地局ｅＮＢ配下のセルへのハンドオーバ手順を行うように構成されている移動通信システムであって、リレーノードＲＮ＃１と無線基地局ＤｅＮＢ＃１との間で、Ｓ１インターフェイス用プロトコル（第１プロトコル）が終端しており、かつ、無線基地局ＤｅＮＢ＃１と無線基地局ｅＮＢとの間で、Ｘ２インターフェイス用プロトコル（第２プロトコル）が終端しており、無線基地局ＤｅＮＢ＃１は、Ｓ１インターフェイス用プロトコルに従って生成された上述のハンドオーバ手順用の第１制御信号（例えば、「（Ｓ１）ＨＯ  Ｒｅｑｕｉｒｅｄ」）をリレーノードＲＮ＃１から受信し、Ｘ２インターフェイス用プロトコルに従って上述のハンドオーバ手順用の第２制御信号（例えば、「（Ｘ２）ＨＯ  Ｒｅｑｕｅｓｔ」）を生成して交換局ＭＭＥに送信することなく無線基地局ｅＮＢに送信するように構成されていることを要旨とする。
【０１５３】
本実施形態の第１の特徴において、無線基地局ＤｅＮＢ＃１は、移動局ＵＥの位置登録処理（Ａｔｔａｃｈ処理）において、上述の第２制御信号を生成するための情報を取得するように構成されていてもよい。
【０１５４】
本実施形態の第２の特徴は、無線基地局ＤｅＮＢ＃１と、無線基地局ＤｅＮＢ＃１に接続されているリレーノードＲＮ＃１及び無線基地局ｅＮＢとを具備しており、移動局ＵＥの無線基地局ｅＮＢ配下のセルからリレーノードＲＮ＃１配下のセルへのハンドオーバ手順を行うように構成されている移動通信システムであって、リレーノードＲＮ＃１と無線基地局ＤｅＮＢ＃１との間で、Ｓ１インターフェイス用プロトコルが終端しており、かつ、無線基地局ＤｅＮＢ＃１と無線基地局ｅＮＢとの間で、Ｘ２インターフェイス用プロトコルが終端しており、無線基地局ＤｅＮＢ＃１は、Ｘ２インターフェイス用プロトコルに従って生成された上述のハンドオーバ手順用の第２制御信号（例えば、「（Ｘ２）ＨＯ  Ｒｅｑｕｅｓｔ」）を無線基地局ｅＮＢから受信し、Ｓ１インターフェイス用プロトコルに従って上述のハンドオーバ手順用の第１制御信号（例えば、「（Ｓ１）ＨＯ  Ｒｅｑｕｅｓｔ」）を生成して交換局ＭＭＥに送信することなくリレーノードＲＮ＃１に送信するように構成されていることを要旨とする。
【０１５５】
本実施形態の第２の特徴において、無線基地局ＤｅＮＢ＃１は、移動局ＵＥの位置登録処理（Ａｔｔａｃｈ処理）において、上述の第１制御信号を生成するための情報を取得するように構成されていてもよい。
【０１５６】
本実施形態の第３の特徴は、無線基地局ＤｅＮＢ＃１と、無線基地局ＤｅＮＢ＃１に接続されているリレーノードＲＮ＃１（第１リレーノード）と、無線基地局ＤｅＮＢ＃２（第２無線基地局）と、無線基地局ＤｅＮＢ＃２に接続されているリレーノードＲＮ＃３（第２リレーノード）とを具備しており、移動局ＵＥのリレーノードＲＮ＃１配下のセルからリレーノードＲＮ＃３配下のセルへのハンドオーバ手順を行うように構成されている移動通信システムであって、リレーノードＲＮ＃１と無線基地局ＤｅＮＢ＃１との間で、Ｓ１インターフェイス用プロトコル（第１プロトコル）が終端しており、無線基地局ＤｅＮＢ＃１と無線基地局ＤｅＮＢ＃２との間で、Ｘ２インターフェイス用プロトコル（第２プロトコル）が終端しており、無線基地局ＤｅＮＢ＃２とリレーノードＲＮ＃３との間で、Ｓ１インターフェイス用プロトコル（第３プロトコル）が終端しており、無線基地局ＤｅＮＢ＃１は、Ｓ１インターフェイス用プロトコルに従って生成された上述のハンドオーバ手順用の第１制御信号（例えば、「（Ｓ１）ＨＯ  Ｒｅｑｕｉｒｅｄ」）をリレーノードＲＮ＃１から受信し、Ｘ２インターフェイス用プロトコルに従って上述のハンドオーバ手順用の第２制御信号（例えば、「（Ｘ２）ＨＯ  Ｒｅｑｕｅｓｔ」）を生成して交換局ＭＭＥに送信することなく無線基地局ＤｅＮＢ＃２に送信するように構成されており、無線基地局ＤｅＮＢ＃２は、上述の第２制御信号を無線基地局ＤｅＮＢ＃１から受信し、Ｓ１インターフェイス用プロトコルに従って上述のハンドオーバ手順用の第３制御信号（例えば、「（Ｓ１）ＨＯ  Ｒｅｑｕｅｓｔ」）を生成して交換局ＭＭＥに送信することなくリレーノードＲＮ＃３に送信するように構成されていることを要旨とする。
【０１５７】
本実施形態の第３の特徴において、無線基地局ＤｅＮＢ＃１は、移動局ＵＥの位置登録処理（Ａｔｔａｃｈ処理）において、上述の第２制御信号を生成するための情報を取得するように構成されており、無線基地局ＤｅＮＢ＃２は、移動局ＵＥの位置登録処理（Ａｔｔａｃｈ処理）において、上述の第３制御信号を生成するための情報を取得するように構成されていてもよい。
【０１５８】
本実施形態の第４の特徴は、リレーノードＲＮ＃１及び無線基地局ｅＮＢ（他の無線基地局）に接続されており、移動局ＵＥのリレーノードＲＮ＃１配下のセルから無線基地局ｅＮＢ配下のセルへのハンドオーバ手順を行うように構成されている移動通信システムで用いられる無線基地局ＤｅＮＢ＃１であって、リレーノードＲＮ＃１との間で、Ｓ１インターフェイス用プロトコル（第１プロトコル）を終端し、かつ、無線基地局ｅＮＢとの間で、Ｘ２インターフェイス用プロトコル（第２プロトコル）を終端するように構成されており、Ｓ１インターフェイス用プロトコルに従って生成された上述のハンドオーバ手順用の第１制御信号（例えば、「（Ｓ１）ＨＯ  Ｒｅｑｕｉｒｅｄ」）をリレーノードＲＮ＃１から受信し、Ｘ２インターフェイス用プロトコルに従って上述のハンドオーバ手順用の第２制御信号（例えば、「（Ｘ２）ＨＯ  Ｒｅｑｕｅｓｔ」）を生成して交換局ＭＭＥに送信することなく無線基地局ｅＮＢに送信するように構成されていることを要旨とする。
【０１５９】
本実施形態の第４の特徴において、移動局ＵＥの位置登録処理（Ａｔｔａｃｈ処理）において、上述の第２制御信号を生成するための情報を取得するように構成されていてもよい。
【０１６０】
本実施形態の第５の特徴は、リレーノードＲＮ＃１及び無線基地局ｅＮＢに接続されており、移動局ＵＥの無線基地局ｅＮＢ配下のセルからリレーノードＲＮ＃１配下のセルへのハンドオーバ手順を行うように構成されている移動通信システムで用いられる無線基地局ＤｅＮＢ＃１であって、リレーノードＲＮ＃１との間で、Ｓ１インターフェイス用プロトコルを終端し、かつ、無線基地局ｅＮＢとの間で、Ｘ２インターフェイス用プロトコルを終端するように構成されており、Ｘ２インターフェイス用プロトコルに従って生成された上述のハンドオーバ手順用の第２制御信号（例えば、「（Ｘ２）ＨＯ  Ｒｅｑｕｅｓｔ」）を無線基地局ｅＮＢから受信し、Ｓ１インターフェイス用プロトコルに従って上述のハンドオーバ手順用の第１制御信号（例えば、「（Ｓ１）ＨＯ  Ｒｅｑｕｅｓｔ」）を生成して交換局ＭＭＥに送信することなくリレーノードＲＮ＃１に送信するように構成されていることを要旨とする。
【０１６１】
本実施形態の第５の特徴において、移動局ＵＥの位置登録処理（Ａｔｔａｃｈ処理）において、上述の第１制御信号を生成するための情報を取得するように構成されていてもよい。
【０１６２】
なお、上述の交換局ＭＭＥやゲートウェイ装置Ｓ-ＧＷや無線基地局ＤｅＮＢやリレーノードＲＮや移動局ＵＥの動作は、ハードウェアによって実施されてもよいし、プロセッサによって実行されるソフトウェアモジュールによって実施されてもよいし、両者の組み合わせによって実施されてもよい。
【０１６３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１６４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、交換局ＭＭＥやゲートウェイ装置Ｓ-ＧＷや無線基地局ＤｅＮＢやリレーノードＲＮや移動局ＵＥ内に設けられていてもよい。また、かかる記憶媒体及びプロセッサは、ディスクリートコンポーネントとして交換局ＭＭＥやゲートウェイ装置Ｓ-ＧＷや無線基地局ＤｅＮＢやリレーノードＲＮや移動局ＵＥ内に設けられていてもよい。
【０１６５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【０１６６】
ＭＭＥ…交換局
Ｓ-ＧＷ…ゲートウェイ装置
ＤｅＮＢ…無線基地局
ＲＮ…リレーノード
ＵＥ…移動局
【図１】
2011120181.tif 000003
【図２】
2011120181.tif 000004
【図３】
2011120181.tif 000005
【図４】
2011120181.tif 000006
【図５】
2011120181.tif 000007
【図６】
2011120181.tif 000008
【図７】
2011120181.tif 000009
【図８】
2011120181.tif 000010
【図９】
2011120181.tif 000011